(57)【要約】【課題】  転送するべきでない不都合なデータを簡単に更新することができるとともに、転送するべきでない不都合なデータを全データ受信機器に対して一律に取り扱うことができるようにする。【解決手段】  情報サーバ４から配信されたコンテンツの中に、閲覧が禁止されているコンテンツが含まれているか否かの調査を検索サーバ６に依頼する検出器１５を設け、検索サーバ６から閲覧が禁止されているコンテンツが含まれていない旨を示す調査結果を受けると、情報サーバ４から配信されたコンテンツをクライアントＰＣ１に転送し、検索サーバ６から閲覧が禁止されているコンテンツが含まれている旨を示す調査結果を受けると、情報サーバ４から配信されたコンテンツの転送を中止する。【選択図】        図１
2005056339.tif 000002
【特許請求の範囲】
【請求項１】
データ配信機器から配信されるデータを受信する受信手段と、上記受信手段により受信されたデータの中に、閲覧が禁止されているデータが含まれているか否かの調査を検索サーバに依頼する調査依頼手段と、上記調査依頼手段から調査が依頼されたのち、上記検索サーバから閲覧が禁止されているデータが含まれていない旨を示す調査結果を受けると、上記受信手段により受信されたデータをデータ受信機器に転送し、上記検索サーバから閲覧が禁止されているデータが含まれている旨を示す調査結果を受けると、上記受信手段により受信されたデータの転送を中止する転送手段とを備えた情報フィルタリング装置。
【請求項２】
転送手段は、受信手段により受信されたデータの転送を中止する場合、そのデータに含まれている閲覧が禁止されているデータを廃棄し、残りのデータをデータ受信機器に転送することを特徴とする請求項１記載の情報フィルタリング装置。
【請求項３】
転送手段は、受信手段により受信されたデータの転送を中止する場合、そのデータに変更を加え、変更後のデータをデータ受信機器に転送することを特徴とする請求項１記載の情報フィルタリング装置。
【請求項４】
転送手段は、受信手段により受信されたデータのうち、閲覧が禁止されているデータのみに変更を加えて転送することを特徴とする請求項３記載の情報フィルタリング装置。
【請求項５】
転送手段は、受信手段により受信されたデータの転送を中止する場合、そのデータと別のデータをデータ受信機器に転送することを特徴とする請求項１記載の情報フィルタリング装置。
【請求項６】
転送手段は、受信手段により受信されたデータのうち、閲覧が禁止されているデータのみを別のデータに置き換えて転送することを特徴とする請求項５記載の情報フィルタリング装置。
【請求項７】
データ配信機器から配信されるデータがマルチメディアコンテンツであることを特徴とする請求項１記載の情報フィルタリング装置。
【請求項８】
データを配信するデータ配信機器と、調査対象のデータに閲覧が禁止されているデータが含まれているか否かを調査し、その調査結果を調査依頼元に送信する検索サーバと、上記データ配信機器から配信されるデータを受信すると、そのデータの調査を上記検索サーバに依頼し、上記検索サーバから閲覧が禁止されているデータが含まれていない旨を示す調査結果を受けると、その受信したデータをデータ受信機器に転送し、上記検索サーバから閲覧が禁止されているデータが含まれている旨を示す調査結果を受けると、その受信したデータの転送を中止する情報フィルタリング装置とを備えた情報フィルタリングシステム。
【発明の詳細な説明】
【技術分野】
【０００１】
この発明は、不都合なデータがクライアントＰＣに転送される事態を阻止する情報フィルタリング装置及び情報フィルタリングシステムに関するものである。
【背景技術】
【０００２】
インターネット用の情報受信装置は、不都合なデータ（以下、禁止データという）が表示器に表示される不都合を回避するため、例えば、情報サーバからデータを受信すると、その受信データに禁止データが含まれているか否かを判断し、禁止データが含まれている場合には、その受信データから禁止データを削除して表示器に出力する情報フィルタリング装置を搭載している。なお、情報フィルタリング装置は、予め禁止データを記憶している（例えば、特許文献１参照）。
【０００３】
【特許文献１】特開平１１−４５２８５号公報（段落番号［０００９］から［００１０］、図２）
【発明の開示】
【発明が解決しようとする課題】
【０００４】
従来の情報フィルタリング装置は以上のように構成されているので、インターネット用の情報受信装置が情報フィルタリング装置を搭載していれば、禁止データを受信しても、その禁止データの表示を阻止することができる。しかし、表示すべきでない禁止データは、情報化社会では急増することが考えられるため随時更新する必要があるが、情報フィルタリング装置は、個々の情報受信装置毎に搭載されているため、禁止データの更新処理に多くの手間と時間を要する課題があった。また、すべての情報受信装置の情報フィルタリング装置に記憶されている禁止データを時間的に完全に同時に更新することは物理的に困難であるため、各情報受信装置の情報フィルタリング装置毎に、記憶している禁止データが異なることもある課題があった。
【０００５】
この発明は上記のような課題を解決するためになされたもので、第１の目的は、転送するべきでない不都合なデータを簡単に更新することができるとともに、転送するべきでない不都合なデータを全データ受信機器に対して一律に取り扱うことができる情報フィルタリング装置及び情報フィルタリングシステムを得るものである。
【課題を解決するための手段】
【０００６】
この発明に係る情報フィルタリング装置は、受信手段により受信されたデータの中に、閲覧が禁止されているデータが含まれているか否かの調査を検索サーバに依頼する調査依頼手段を設け、検索サーバから閲覧が禁止されているデータが含まれていない旨を示す調査結果を受けると、受信手段により受信されたデータをデータ受信機器に転送し、検索サーバから閲覧が禁止されているデータが含まれている旨を示す調査結果を受けると、受信手段により受信されたデータの転送を中止するようにしたものである。
【発明の効果】
【０００７】
この発明は、受信手段により受信されたデータの中に、閲覧が禁止されているデータが含まれているか否かの調査を検索サーバに依頼する調査依頼手段を設け、検索サーバから閲覧が禁止されているデータが含まれていない旨を示す調査結果を受けると、受信手段により受信されたデータをデータ受信機器に転送し、検索サーバから閲覧が禁止されているデータが含まれている旨を示す調査結果を受けると、受信手段により受信されたデータの転送を中止するように構成したので、閲覧が禁止されているデータを更新する必要がある場合、検索サーバに記憶されている閲覧禁止のデータを更新するだけで、閲覧が禁止されているデータを更新することができる。したがって、データ受信機器に転送するべきでない不都合なデータを簡単に更新することができるとともに、転送するべきでない不都合なデータを全データ受信機器に対して一律に取り扱うことができる効果がある。
【発明を実施するための最良の形態】
【０００８】
実施の形態１．
図１はこの発明の実施の形態１による情報フィルタリングシステムを示すシステム構成図であり、図２はこの発明の実施の形態１による情報フィルタリング装置を示す構成図である。図において、データ受信機器であるクライアントＰＣ１，２は例えばインターネットやＬＡＮなどのネットワーク３と接続され、情報サーバ４，５から所望のデータであるマルチメディアコンテンツ（例えば、静止画像、動画像、音声、テキストデータ）を受信して表示するなどの機能を備えている。図１の例では、データ受信機器がクライアントＰＣ１，２であるものについて示しているが、例えば、データ受信機器が携帯電話やモバイルＰＣやテレビチューナやビデオチューナなどであってもよい。
データ配信機器である情報サーバ４，５はネットワーク７と接続され、クライアントＰＣ１，２からネットワーク３，７を介してデータの転送要求を受信すると、その要求に見合うコンテンツを情報フィルタリング装置８に送信する。
【０００９】
検索サーバ６は予め閲覧が禁止されているコンテンツを記憶しており、情報フィルタリング装置８からコンテンツの調査依頼を受けると、そのコンテンツの中に閲覧が禁止されているコンテンツが含まれているか否かを調査し、その調査結果を情報フィルタリング装置８に送信する。
情報フィルタリング装置８は情報サーバ４，５から配信されるコンテンツを受信すると、そのコンテンツの調査を検索サーバ６に依頼し、検索サーバ６から閲覧が禁止されているコンテンツが含まれていない旨を示す調査結果を受けると、情報サーバ４，５から受信したコンテンツをクライアントＰＣ１，２に転送し、検索サーバ６から閲覧が禁止されているコンテンツが含まれている旨を示す調査結果を受けると、情報サーバ４，５から受信したコンテンツの転送を中止する。
【００１０】
要求転送部１３はネットワークインタフェース部１１が例えばクライアントＰＣ１からデータの転送要求を受信すると、そのデータの転送要求を一時的に内部バッファに格納して、その転送要求の送信先を確認し、例えば、送信先が情報サーバ４であれば、そのデータの転送要求をネットワークインタフェース部１２を介して情報サーバ４に送信する。パケットバッファ１４はネットワークインタフェース部１２が情報サーバ４から配信されたコンテンツを受信すると、そのコンテンツを格納する。
検出器１５はパケットバッファ１４に格納されているコンテンツの中に、閲覧が禁止されているコンテンツが含まれているか否かの調査を検索サーバ６に依頼し、検索サーバ６から閲覧が禁止されているコンテンツが含まれていない旨を示す調査結果を受けると、ネットワークインタフェース部１１を介して、パケットバッファ１４に格納されているコンテンツをクライアントＰＣ１に転送し、検索サーバ６から閲覧が禁止されているコンテンツが含まれている旨を示す調査結果を受けると、パケットバッファ１４に格納されているコンテンツの転送を中止する。
【００１１】
なお、図２の例では、ネットワークインタフェース部１２及びパケットバッファ１４が受信手段を構成し、検出器１５が調査依頼手段を構成し、検出器１５及びネットワークインタフェース部１１が転送手段を構成している。
図３はこの発明の実施の形態１による情報フィルタリング装置の処理内容を示すフローチャートである。
【００１２】
次に動作について説明する。
例えば、クライントがクライアントＰＣ１を操作して、情報サーバ４のホームページにアクセスし、そのホームページ上のコンテンツ（例えば、静止画像、動画像、音声、テキストデータ）の配信を希望するような場合には、ダウンロードを希望するコンテンツの指定情報を含むデータ転送要求を情報フィルタリング装置８に送信する。
【００１３】
情報フィルタリング装置８の要求転送部１３は、ネットワークインタフェース部１１がクライアントＰＣ１からデータの転送要求を受信すると（ステップＳＴ１）、そのデータの転送要求を一時的に内部バッファに格納して、その転送要求の送信先を確認する（ステップＳＴ２）。
なお、転送要求の送信先は、クライアントＰＣ１のアクセス先を確認すれば判明する。クライアントＰＣ１のアクセス先は、例えば“ｈｔｔｐ：／／ｗｗｗ．□□□”における“□□□”の部分を参照すれば確認することができる。
【００１４】
情報フィルタリング装置８の要求転送部１３は、例えば、転送要求の送信先が情報サーバ４であることが判明すると、そのデータの転送要求をネットワークインタフェース部１２を介して情報サーバ４に送信する（ステップＳＴ３）。
情報サーバ４は、クライアントＰＣ１から情報フィルタリング装置８を介してデータの転送要求を受信すると、データの転送要求に含まれているコンテンツの指定情報を参照して、ダウンロードを希望しているコンテンツを特定し、そのコンテンツをネットワーク７を介して情報フィルタリング装置８に送信する。
【００１５】
情報フィルタリング装置８のパケットバッファ１４は、情報サーバ４がクライアントＰＣ１を配信先とするコンテンツを配信することにより、ネットワークインタフェース部１２がコンテンツを受信すると、そのコンテンツを格納する（ステップＳＴ４）。
情報フィルタリング装置８の検出器１５は、クライアントＰＣ１を配信先とするコンテンツがパケットバッファ１４に格納されると、ネットワークインタフェース部１２を介して、そのコンテンツの調査を検索サーバ６に依頼する（ステップＳＴ５）。この際、検出器１５がパケットバッファ１４に格納されているコンテンツを検索サーバ６に送信するようにしてもよいし、検索サーバ６がパケットバッファ１４に格納されているコンテンツを見に行くようにしてもよい。
【００１６】
検索サーバ６は、予め閲覧が禁止されているコンテンツを記憶しているので、情報フィルタリング装置８からコンテンツの調査依頼を受けると、閲覧が禁止されているコンテンツと同一のコンテンツが、パケットバッファ１４に格納されているコンテンツに含まれているか否かをサーチする。
ここで、コンテンツが静止画や動画などの画像データである場合、そのコンテンツを例えばビットマップ上のデータに展開し、例えばビットマップデータの９０％以上が一致するような場合には、コンテンツが一致するものと判断する。なお、コンテンツが例えばＪＰＥＧファイルである場合、ＪＰＥＧのヘッダ情報を見れば、そのコンテンツが画像データであることが分かる。
また、コンテンツが音声データである場合、そのコンテンツを例えば周波数データに変換し、例えば周波数データの成分の９０％以上が一致するような場合には、コンテンツが一致するものと判断する。
【００１７】
検索サーバ６は、閲覧が禁止されているコンテンツと同一のコンテンツが、パケットバッファ１４に格納されているコンテンツに含まれている場合、閲覧が禁止されているコンテンツが含まれている旨を示す調査結果を情報フィルタリング装置８に送信し、閲覧が禁止されているコンテンツと同一のコンテンツが、パケットバッファ１４に格納されているコンテンツに含まれていない場合、閲覧が禁止されているコンテンツが含まれていない旨を示す調査結果を情報フィルタリング装置８に送信する。
【００１８】
情報フィルタリング装置８の検出器１５は、検索サーバ６から調査結果を受信し（ステップＳＴ６）、その調査結果が、閲覧が禁止されているコンテンツが含まれていない旨を示している場合には、ネットワークインタフェース部１１を介して、パケットバッファ１４に格納されているコンテンツをクライアントＰＣ１に転送する（ステップＳＴ７，ＳＴ８）。
これにより、クライアントＰＣ１は、所望のコンテンツを受信して表示や音声出力を行うことが可能になる。
一方、検索サーバ６から受信した調査結果が、閲覧が禁止されているコンテンツが含まれている旨を示している場合には、パケットバッファ１４に格納されているコンテンツを廃棄し、そのコンテンツの転送を中止する（ステップＳＴ７，ＳＴ９）。
【００１９】
以上で明らかなように、この実施の形態１によれば、情報サーバ４から配信されたコンテンツの中に、閲覧が禁止されているコンテンツが含まれているか否かの調査を検索サーバ６に依頼する検出器１５を設け、検索サーバ６から閲覧が禁止されているコンテンツが含まれていない旨を示す調査結果を受けると、情報サーバ４から配信されたコンテンツをクライアントＰＣ１に転送し、検索サーバ６から閲覧が禁止されているコンテンツが含まれている旨を示す調査結果を受けると、情報サーバ４から配信されたコンテンツの転送を中止するように構成したので、閲覧が禁止されているコンテンツを更新する必要がある場合、検索サーバ６に記憶されている閲覧禁止のコンテンツを更新するだけで、閲覧が禁止されているコンテンツを更新することができる。したがって、クライアントＰＣ１，２に転送するべきでない不都合なコンテンツを簡単に更新することができるとともに、転送するべきでない不都合なコンテンツを全クライアントＰＣ１，２に対して一律に取り扱うことができる効果を奏する。
【００２０】
この実施の形態１では、情報サーバ４がコンテンツをクライアントＰＣ１に配信するものについて示したが、これに限るものではなく、情報サーバ４がコンテンツをクライアントＰＣ２に配信するようにしてもよい。また、情報サーバ５がコンテンツをクライアントＰＣ１，２に配信するようにしてもよい。
また、この実施の形態１では、クライアントＰＣ１がデータの転送要求を送信することによって、情報サーバ４がコンテンツをクライアントＰＣ１に配信するものについて示したが、クライアントＰＣ１がデータの転送要求を送信することなく、情報サーバ４がコンテンツをクライアントＰＣ１に配信するようにしてもよい。
【００２１】
実施の形態２．
上記実施の形態１では、検索サーバ６から閲覧が禁止されているコンテンツが含まれている旨を示す調査結果を受けると、情報サーバ４から配信されたコンテンツの転送を中止するものについて示したが、情報サーバ４から配信されたコンテンツのうち、閲覧が禁止されているコンテンツのみをを廃棄し、残りのコンテンツをクライアントＰＣ１に転送するようにしてもよい。
これにより、クライアントＰＣ１は、閲覧が禁止されているコンテンツ以外のコンテンツを受信して表示や音声出力を行うことが可能になる。
【００２２】
実施の形態３．
上記実施の形態１では、検索サーバ６から閲覧が禁止されているコンテンツが含まれている旨を示す調査結果を受けると、情報サーバ４から配信されたコンテンツの転送を中止するものについて示したが、情報サーバ４から配信されたコンテンツに変更を加え、変更後のコンテンツをクライアントＰＣ１に転送するようにしてもよい。
例えば、コンテンツが画像データであれば、その画像に対するモザイク処理や縮小処理などを実施し、また、コンテンツが音声データであれば、音量を変換するなどの処理を実施してから、変更後のコンテンツをクライアントＰＣ１に転送する。
なお、情報サーバ４から配信されたコンテンツに変更を加える際、情報サーバ４から配信されたコンテンツのうち、閲覧が禁止されているコンテンツのみに変更を加えて転送するようにしてもよい。
これにより、クライアントＰＣ１は、閲覧が禁止されているコンテンツ以外のコンテンツを受信して表示や音声出力を行うことが可能になる。
【００２３】
実施の形態４．
上記実施の形態１では、検索サーバ６から閲覧が禁止されているコンテンツが含まれている旨を示す調査結果を受けると、情報サーバ４から配信されたコンテンツの転送を中止するものについて示したが、情報サーバ４から配信されたコンテンツと別のコンテンツをクライアントＰＣ１に転送するようにしてもよい。
例えば、別のコンテンツとして企業広告や緊急メッセージなどをクライアントＰＣ１に転送する。
なお、情報サーバ４から配信されたコンテンツと別のコンテンツをクライアントＰＣ１に転送する際、情報サーバ４から配信されたコンテンツのうち、閲覧が禁止されているコンテンツのみを別のコンテンツに置き換えて転送するようにしてもよい。
これにより、クライアントＰＣ１は、閲覧が禁止されているコンテンツ以外のコンテンツを受信して表示や音声出力を行うことが可能になる。
【００２４】
実施の形態５．
図４はこの発明の実施の形態５による情報フィルタリング装置を示す構成図であり、図において、図２と同一符号は同一または相当部分を示すので説明を省略する。
パケットバッファ１６はネットワークインタフェース部１１がクライアントＰＣ１，２から配信されたデータであるコンテンツを受信すると、そのコンテンツを格納する。
検出器１７は検出器１５と同様の機能を有し、パケットバッファ１６に格納されているコンテンツの中に、閲覧が禁止されているコンテンツが含まれているか否かの調査を検索サーバ６に依頼し、検索サーバ６から閲覧が禁止されているコンテンツが含まれていない旨を示す調査結果を受けると、ネットワークインタフェース部１２を介して、パケットバッファ１６に格納されているコンテンツを情報サーバ４，５に転送し、検索サーバ６から閲覧が禁止されているコンテンツが含まれている旨を示す調査結果を受けると、パケットバッファ１６に格納されているコンテンツの転送を中止する。
この場合、パケットバッファ１６が受信手段を構成し、検出器１７が調査依頼手段と転送手段を構成する。
【００２５】
上記実施の形態１では、情報フィルタリング装置８が情報サーバ４，５から配信されたコンテンツに対する調査依頼を検索サーバ６に行い、クライアントＰＣ１，２から配信されたコンテンツに対する調査依頼は行わないものについて示したが、クライアントＰＣ１，２から配信されたコンテンツに対しても検索サーバ６に調査を依頼するようにしてもよく、上記実施の形態１と同様の効果を奏することができる。
この場合、クライアントＰＣ１，２がデータ配信機器になり、情報サーバ４，５がデータ受信機器になる。
【００２６】
実施の形態６．
上記実施の形態１では、情報フィルタリングシステムの中に情報フィルタリング装置８が１台だけ設置されているものについて示したが、図５に示すように、複数の情報フィルタリング装置８を設置するようにしてもよい。図５の例では、クライアントＰＣ１，２，９と同一台数の情報フィルタリング装置８を設置するようにしている。
【産業上の利用可能性】
【００２７】
以上のように、この発明によれば、不都合なコンテンツがクライアントＰＣに転送される事態を阻止する必要があるシステムの構築に適している。
【図面の簡単な説明】
【００２８】
【図１】この発明の実施の形態１による情報フィルタリングシステムを示すシステム構成図である。
【図２】この発明の実施の形態１による情報フィルタリング装置を示す構成図である。
【図３】この発明の実施の形態１による情報フィルタリング装置の処理内容を示すフローチャートである。
【図４】この発明の実施の形態５による情報フィルタリング装置を示す構成図である。
【図５】この発明の実施の形態６による情報フィルタリングシステムを示すシステム構成図である。
【符号の説明】
【００２９】
１，２，９  クライアントＰＣ（データ受信機器）、３  ネットワーク、４，５  情報サーバ（データ配信機器）、６  検索サーバ、７  ネットワーク、８  情報フィルタリング装置、１１  ネットワークインタフェース部（転送手段）、１２  ネットワークインタフェース部（受信手段）、１３  要求転送部、１４  パケットバッファ（受信手段）、１５  検出器（調査依頼手段、転送手段）、１６  パケットバッファ（受信手段）、１７  検出器（調査依頼手段、転送手段）。
【図１】
2005056339.tif 000003
【図２】
2005056339.tif 000004
【図３】
2005056339.tif 000005
【図４】
2005056339.tif 000006
【図５】
2005056339.tif 000007